(57)【要約】【課題】  冷水作業時の保温効果と吸湿効果と脱臭効果との複合効果を発揮する超薄繊維シートをゴム手袋の内面に接合したゴム手袋を提供する。【解決手段】  ゴム手袋１０の内面１０Ａに、中空紡績糸３０Ａとカチオン可染異型断面ポリエステル３０Ｂのストレッチ素材に構成させた超薄繊維シート３０を接合又は密着させたものである。【選択図】図１
2011127265.tif 000002
【特許請求の範囲】
【請求項１】
ゴム手袋の内面に、保温と吸湿と脱臭とを発揮する超薄繊維シートを接合又は密着させたことを特徴とするゴム手袋。
【請求項２】
上記超薄繊維シートは、中空紡績糸とカチオン可染異型断面ポリエステルのストレッチ素材であることを特徴とする請求項１記載のゴム手袋。
【請求項３】
上記超薄繊維シートは、アクリル繊維の繊度をマイクロ化（１．０ｄｔｅｘ）したものであることを特徴とする請求項１記載のゴム手袋。
【請求項４】
上記超薄繊維シートは、その表面に芳香剤を塗布したものであることを特徴とする請求項１又は２記載のゴム手袋
【発明の詳細な説明】
【技術分野】
【０００１】  本発明は、ゴム手袋に係わり、特に、保温効果と吸湿効果と脱臭効果との複合効果を発揮する超薄繊維シートをゴム手袋の内面に接合又は密着したゴム手袋に関するものである。
【背景技術】
【０００２】  従来のゴム手袋は、例えば、ゴム臭がしたり、冬場の冷水仕事での指先の冷えをはじめとする手全体の温度低下を招いて血行不全を起こしたり、手袋内の水分吸湿性に欠けて長時間の着用により手肌をふやけさせ、また、使用中に指先の爪で破れたりすることが一般的に知られている。【０００３】  そこで、上記欠点や問題点を改善した各種のゴム手袋が提供されている。具体的に公知例の事例を挙げると、先ず、人体の美容、医療において、シリコーンゴムに、マイナスイオン、遠赤外線を発する天然鉱物の粉状物を混入して手袋状に成形し、人体の皮膚に対応することを特徴とする美容用・医療用シリコーンゴム手袋が提供されている。その構成は、美容、医療基材として、シリコーンゴム等の樹脂に、ゲルマニウムとトルマリン等のマイナスイオンや遠赤外線を発する鉱物の粉状物を混入して人体や肌の表面に効果を示す手袋状に成形して、該シリコーンゴム手袋におけるゲルマニウムとトルマリンとシリコーンゴムとの結合可能による基材でマイナスイオンや遠赤外線を発生せしめて、人体の肌に効果を与える美容用・医療用シリコーンゴム手袋であり、マッサージ用にも使用できるものである（例えば、特許文献１参照。）。【０００４】  また、ゴム及びビニール手袋の内部において汗をかいても、水が入ってもべとつき感が無く、スムーズに手袋を脱いだり履いたりすることができ、また、使い捨てが出来るインナー手袋が提供されている。その構成は、柔軟性に優れ丈夫で、尚且つ疎水性が高く吸湿が殆どない、ポリプロピレン等でできた不織布をゴム及びビニール手袋の大きさと同じ位の手形状に切り手袋状に成る様に端を熱シール加工して接着したものである（例えば、特許文献２参照。）。【０００５】  更に、ビニール製、ゴム製等の通気性の悪い手袋の内側に着用することにより、長時間使用しても発汗によるムレやベトツキが抑えられ、また、繰り返しの使用や洗濯による毛羽の発生、脱落がなく、無菌室等のクリーンルームでも使用できるインナー手袋が提供される。その構成は、手袋を構成する糸条の５０重量％以上が、２０℃、相対湿度６５％の環境下における吸湿率が８．０％以上で、かつ湿潤強度が２．５ｇ／ｄ以上の合成繊維マルチフィラメント糸条からなるインナー手袋したものである（例えば、特許文献３参照。）。
【先行技術文献】
【特許文献】
【０００６】
【特許文献１】  特開２００９−２２１６４４号公報
【特許文献２】  特開平１０−３２５００７号公報
【特許文献３】  実開平６−６１９１７号公報
【発明の概要】
【発明が解決しようとする課題】
【０００７】  上記特開２００９−２２１６４４号公報の美容用・医療用シリコーンゴム手袋は、ゲルマニウムとトルマリンとシリコーンゴムとの結合可能による基材でマイナスイオンや遠赤外線を発生せしめて、人体の肌に美容効果と医療効果をもたらすものであるが、吸湿効果と脱臭効果とをもたらすものではなく、手袋内の水分吸湿性に欠けて長時間の着用により手肌をふやけさせ易いという問題が解決されていない。【０００８】  また、上記特開平１０−３２５００７号公報のインナー手袋は、ゴム及びビニール手袋の内部において汗をかいても、水が入ってもべとつき感が無く、スムーズに手袋を脱いだり履いたりすることができ、また、使い捨てが出来るものである。しかし、保温効果と脱臭効果とをもたらすものではなく、手袋内の保温性や脱臭性に欠けて長時間の着用により手が保温されずゴム臭くなるという問題が解決されていない。【０００９】  更に、実開平６−６１９１７号公報のインナー手袋は、ゴム製等の通気性の悪い手袋の内側に着用することにより、長時間使用しても発汗によるムレやベトツキが抑えられ、また、繰り返しの使用や洗濯による毛羽の発生、脱落がなく、無菌室等のクリーンルームでも使用できるものである。しかし、保温効果と脱臭効果とをもたらすものではなく、冬場の冷水作業時には、指先の冷えをはじめとする手全体の温度低下を招いて血行不全を起こすとともに、手袋内の保温性や脱臭性に欠けて長時間の着用により手が保温されずゴム臭くなるという問題が解決されていない。【００１０】  本発明は、上記ゴム手袋における問題点に鑑みてなされたもので、特に、冷水作業時の保温効果と吸湿効果と脱臭効果との複合効果を発揮する超薄繊維シートをゴム手袋の内面に接合したゴム手袋を提供するものである。
【課題を解決するための手段】
【００１１】  上記目的を達成するべく本発明の請求項１によるゴム手袋は、ゴム手袋の内面に、保温と吸湿と脱臭とを発揮する超薄繊維シートを接合又は密着させたことを特徴とする。【００１２】  また、本発明の請求項２のゴム手袋は、請求項１のゴム手袋において、上記超薄繊維シートは、中空紡績糸とカチオン可染異型断面ポリエステルのストレッチ素材であることを特徴とする。【００１３】  また、本発明の請求項３のゴム手袋は、請求項１のゴム手袋において、上記超薄繊維シートは、アクリル繊維の繊度をマイクロ化（１．０ｄｔｅｘ）したものであることを特徴とする。【００１４】  また、本発明の請求項４のゴム手袋は、請求項１又は２記載のゴム手袋において、上記超薄繊維シートは、その表面に芳香剤を塗布したものであることを特徴とする。
【発明の効果】
【００１５】  本発明のゴム手袋によると、ゴム手袋の内面に中空紡績糸とカチオン可染異型断面ポリエステルのストレッチ素材からなる超薄繊維シートを接合又は密着したから、中空紡績糸による高い保温性、ポリエステルによる速乾性と薄地化で汗をすばやく吸収、拡散、蒸発させることで吸湿効果と脱臭効果があり、ストレッチ素材による最適なフィット感で身体の冷えを防ぐ保温効果との複合機能が発揮される。特に、冬場の冷水作業時には、指先の冷えをはじめとする手全体の温度低下を防ぎ血行不全を起こさず、快適な作業性が発揮される。【００１６】  本発明のゴム手袋によると、ゴム手袋の内面にアクリル繊維の繊度をマイクロ化（１．０ｄｔｅｘ）した超薄繊維シートを接合又は密着したから、マイクロアクリルによるソフト感と繊維間のエアーポケットが多く創出されて保温性が向上し、ミルクプロテイン含有レーヨンによるしっとりした装着感とともに、ストレッチ素材による最適なフィット感で身体の冷えを防ぐ保温効果との複合機能が発揮される。特に、冬場の冷水作業時には、指先の冷えをはじめとする手全体の温度低下を防ぎ血行不全を起こさず、快適な作業性が発揮される。【００１７】  更に、ゴム手袋によると、上記ゴム手袋の内面の超薄繊維シートに芳香剤を塗布したから、高次加工技術による抗菌効果も発揮される。
【図面の簡単な説明】
【００１８】
【図１】  本発明の第１の実施の形態で、ゴム手袋の斜視図と断面図である。
【図２】  本発明の第１の実施の形態で、ゴム手袋内に接合又は密着される超薄繊維シートの断面図である。
【図３】  本発明の第１の実施の形態で、ゴム手袋の作用断面図である。
【図４】  本発明の第２の実施の形態で、ゴム手袋の斜視図と断面図である。
【図５】  本発明の第２の実施の形態で、ゴム手袋内に接合又は密着される超薄繊維シートの断面図である。
【図６】  本発明の第２の実施の形態で、ゴム手袋の作用断面図である。
【発明を実施するための形態】
【００１９】  以下、図１乃至図６を参照して本発明の各実施の形態を順次に説明する。
【実施例】
【００２０】  本発明の第１の実施の形態となるゴム手袋は、図１〜図３に示す。ゴム手袋１０は、塩化ビニル樹脂又はアクリル系樹脂等の合成樹脂素材２０からなり、手４０への着脱時に適度の伸縮性のある各種素材が適用されて成形されている。上記ゴム手袋１０の内面１０Ａには、保温と吸湿と脱臭とを発揮する超薄繊維シート３０を接合又は密着させている。上記超薄繊維シートは、中空紡績糸３０Ａとカチオン可染異型断面ポリエステル３０Ｂとからなる伸縮性のあるストレッチ素材である。上記カチオン可染異型断面ポリエステル３０Ｂは、星型断面を呈しており、これが中空紡績糸３０Ａと絡み合って糸同士の表面積が倍増された超薄繊維シート３０を形成している。この広い表面積により、ゴム手袋を着用した手肌４０Ａからの発汗をすばやく吸収し、拡散して汗Ａの水分を蒸発させるとともに、広い表面積により閉鎖された空間が手肌から発散される体温を外部へ逃がさない機能を持つものとなっている。更に、上記超薄繊維シート３０は、その表面に芳香剤が塗布されている。【００２１】  続いて、上記ゴム手袋１０の作用を、図３により説明する。ゴム手袋１０の内面には、保温と吸湿と脱臭とを発揮する超薄繊維シート３０が接合又は密着されている。このゴム手袋１０を手４０に装着すると、中空紡績糸３０Ａとカチオン可染異型断面ポリエステル３０Ｂとからなる伸縮性のあるストレッチ素材の超薄繊維シートにより手全体が包み込まれる。上記中空紡績糸による高い保温性が実現される。また、カチオン可染異型断面ポリエステル３０Ｂは、星型断面を呈しており、糸同士の表面積が倍増された超薄繊維シート３０の広い表面積により、ゴム手袋を着用した手肌４０Ａからの発汗をすばやく吸収し、拡散して汗Ａの水分を蒸発させるとともに、広い表面積により閉鎖された空間Ｓが手肌から発散される体温を外部へ逃がさない。更に、超薄繊維シート３０により、ゴム手袋１０の外部の冷水や冷気の低温が手肌へ伝搬することを遮断する。【００２２】  本発明の第１の実施の形態となるゴム手袋１０によると、下記の効果が得られる。先ず、中空紡績糸３０Ａによる高い保温性が可能となる。即ち、冬場の冷水作業時には、指先の冷えをはじめとする手全体の温度低下を防ぎ血行不全を起こさず、快適な作業性が発揮される。また、カチオン可染異型断面ポリエステル３０Ｂによる速乾性と薄地化が可能であるとともに、ストレッチ素材の超薄繊維シートにより手全体が包み込まれるフィット感が得られる。更に、超薄繊維シート３０は、その表面に芳香剤が塗布されているから、ゴム臭が無く・脱臭効果が得られる。そして、超薄繊維シートの高次加工技術により抗菌性も付与される。【００２３】  次に、本発明の第２の実施の形態となるゴム手袋１１を、図４〜図６に示す。ゴム手袋１１は、塩化ビニル樹脂又はアクリル系樹脂の合成樹脂素材２０等からなり、手への着脱時に適度の伸縮性のある各種素材が適用されて成形されている。上記ゴム手袋１１の内面１１Ａには、保温と吸湿と脱臭とを発揮する超薄繊維シート３３を接合又は密着させている。上記超薄繊維シートは、アクリル繊維の繊度をマイクロ化（１．０ｄｔｅｘ）したものからなる。これにより、ソフト感の向上とともに、���繊維間のエアーポケットＡＰを多く創設し、保温機能を作り出している。この広いエアーポケットＡＰにより、ゴム手袋を着用した手肌４０Ａからの発汗をすばやく吸収し、拡散して汗Ａの水分を蒸発させるとともに、広いエアーポケットＡＰにより閉鎖された空間が手肌から発散される体温を外部へ逃がさない機能を持つものとなっている。更に、上記超薄繊維シート３３は、その表面に芳香剤が塗布されている。【００２４】  続いて、上記ゴム手袋１１の作用を、図６により説明する。ゴム手袋１１の内面１１Ａには、保温と吸湿と脱臭とを発揮する超薄繊維シート３３が接合又は密着されている。このゴム手袋１１を手４０に装着すると、ゴム手袋の内面にアクリル繊維の繊度をマイクロ化（１．０ｄｔｅｘ）した超薄繊維シートを接合しているから、ゴム手袋１１の外部の冷水や冷気の低温が手肌に伝搬することを遮断する。即ち、超薄繊維シート３３には、マイクロアクリルによるソフト感と繊維間のエアーポケットＡＰが多く創出され、このエアーポケットＡＰにより、ゴム手袋１１の外部の冷水や冷気の低温が手肌４０Ａに伝搬することを遮断するとともに、手から発散する発汗Ａをすばやく吸収するとともに、肌温が閉じ込められて保温性が向上する。更に、ミルクプロテイン含有レーヨンによるしっとりした装着感とともに、伸縮性のあるストレッチ素材による最適なフィット感で身体の冷えを防ぐ保温効果との複合機能が働く。【００２５】  本発明の第２の実施の形態となるゴム手袋１１によると、下記の効果が得られる。ゴム手袋の内面にアクリル繊維の繊度をマイクロ化（１．０ｄｔｅｘ）した超薄繊維シートを接合したから、マイクロアクリルによるソフト感と繊維間のエアーポケットが多く創出されて保温性が向上し、ミルクプロテイン含有レーヨンによるしっとりした装着感とともに、ストレッチ素材による最適なフィット感で身体の冷えを防ぐ保温効果との複合機能が発揮される。特に、冬場の冷水作業時には、指先の冷えをはじめとする手全体の温度低下を防ぎ血行不全を起こさず、快適な作業性が発揮される。【００２６】  更に、上記各ゴム手袋１０、１１によると、高次加工技術による抗菌効果も発揮され、ゴム手袋の内面の超薄繊維シートに芳香剤を塗布することで、ゴム臭や悪臭が無くなり薫り高いゴム手袋が得られる。
【産業上の利用可能性】
【００２７】  本発明は、その対象物をゴム手袋の実施例で説明したものであるが、皮手袋をはじめとする様々な製品を対象とした適用が可能である。
【符号の説明】
【００２８】１０          ゴム手袋
１０Ａ        内面
１１          ゴム手袋
１１Ａ        内面
２０          合成樹脂素材
３０          超薄繊維シート
３０Ａ        中空紡績糸
３０Ｂ        カチオン可染異型断面ポリエステル
３３          超薄繊維シート
４０          手
４０Ａ        手肌
Ａ            汗
ＡＰ          エアーポケット
Ｓ            空間
【図１】
2011127265.tif 000003
【図２】
2011127265.tif 000004
【図３】
2011127265.tif 000005
【図４】
2011127265.tif 000006
【図５】
2011127265.tif 000007
【図６】
2011127265.tif 000008